【手続補正書】
【提出日】平成20年7月11日(2008.7.11)
【手続補正１】
【補正対象書類名】特許請求の範囲
【補正対象項目名】全文
【補正方法】変更
【補正の内容】
【特許請求の範囲】
【請求項１】
原稿を読み取って原稿画像をメモリに蓄積する読取手段と、
前記読取手段によって読み取られた原稿の枚数をカウントするカウント手段と、
前記カウント手段によるカウント値に基づいて原稿の総枚数を取得する取得手段と、
前記取得手段によって取得された総枚数を用いて各原稿画像に対応するページ番号表記を決定する決定手段と、
前記メモリに蓄積された原稿画像の各々に前記決定手段で決定したページ番号表記を付加して出力する出力手段とを備えることを特徴とする画像形成装置。
【請求項２】
前記取得手段は、原稿給紙装置により原稿を給紙する場合に、該原稿給紙装置に積載された全ての原稿を読み終えたときの、前記カウント手段によるカウント値を前記総枚数として取得することを特徴とする請求項１に記載の画像形成装置。
【請求項３】
前記取得手段は、ユーザによる原稿読取終了の指示が入力されたときの前記カウント手段によるカウント値を前記総枚数として取得することを特徴とする請求項１に記載の画像形成装置。
【請求項４】
総枚数を用いたページ番号の表記に関して、第１モード或いは第２モードをユーザに選択させる選択手段を更に備え、
前記取得手段は、前記第１モードが選択された場合には前記カウント手段によるカウント値に基づいて前記総枚数を取得し、前記第２モードが選択された場合にはユーザによる設定値を前記総枚数として取得することを特徴とする請求項１に記載の画像形成装置。
【請求項５】
前記第２モードにおいて、前記カウント手段によるカウント値が前記総枚数を超過した場合、前記出力手段はその超過分の原稿画像についてはページ番号の表記を付加せずに出力することを特徴とする請求項４に記載の画像形成装置。
【請求項６】
前記第２モードにおいて、前記カウント手段によるカウント値が前記総枚数を超過した場合、前記出力手段は、超過分の原稿画像については白紙を出力するよう制御することを特徴とする請求項４に記載の画像形成装置。
【請求項７】
前記ページ番号表記における文字サイズおよび表記位置を設定する手段を更に備えることを特徴とする請求項１乃至６のいずれか１項に記載の画像形成装置。
【請求項８】
原稿を読み取って原稿画像を記憶手段に蓄積する読取工程と、
前記読取工程によって読み取られた原稿の枚数をカウントするカウント工程と、
前記カウント工程によるカウント値に基づいて原稿の総枚数を取得する取得工程と、
前記取得工程によって取得された総枚数を用いて各原稿画像に対応するページ番号表記を決定する決定工程と、
前記記憶手段に蓄積された原稿画像の各々に前記決定工程で決定したページ番号表記を付加して出力する出力工程とを備えることを特徴とする画像形成方法。
【請求項９】
総枚数を用いたページ番号の表記に関して、第１モード或いは第２モードをユーザに選択させる選択工程を更に備え、
前記取得工程は、前記第１モードが選択された場合には前記カウント工程によるカウント値に基づいて前記総枚数を取得し、前記第２モードが選択された場合にはユーザによる設定値を前記総枚数として取得することを特徴とする請求項８に記載の画像形成方法。
【請求項１０】
複数ページのジョブのデータを記憶可能な記憶手段の該ジョブの画像データがプリントされるシートに該ジョブの付加情報をプリント可能な画像形成装置を有する画像形成システムのジョブ処理方法であって、
オペレータの介入操作無しに生成した付加情報を前記シートにプリントする第１モードと、オペレータの介入操作を経て生成した付加情報を前記シートにプリントする第２モードのうちの、オペレータからの指示に基づいたモードで、前記画像形成装置を動作させることを特徴とするジョブ処理方法。
【請求項１１】
複数ページのジョブのデータを記憶可能な記憶手段の該ジョブの画像データがプリントされるシートに該ジョブの付加情報をプリント可能な画像形成装置を有する画像形成システムのジョブ処理方法であって、
オペレータの介入操作無しに生成した付加情報を前記シートにプリントする第１モードとオペレータの介入操作を経て生成した付加情報を前記シートにプリントする第２モードを選択的に実行可能にし、
前記第１モードの場合に、処理対象となるジョブの画像データが全て前記記憶手段に記憶されたうえで前記画像形成装置により前記ジョブのプリント動作を開始させ、一方、前記第２モードの場合に、処理対象となるジョブの画像データが全て前記記憶手段に記憶される前に前記画像形成装置により前記ジョブのプリント動作を開始させることを特徴とするジョブ処理方法。
【請求項１２】
複数ページのジョブのデータを記憶可能な記憶手段の該ジョブの画像データがプリントされるシートに該ジョブの付加情報をプリント可能な画像形成装置を有する画像形成システムのジョブ処理方法であって、
オペレータの介入操作無しに生成した付加情報を前記シートにプリントするモードを実行可能にし、
前記モードを実行する場合に、前記付加情報をプリントすべき対象のジョブの画像データが全て前記記憶手段に記憶されたうえで前記画像形成装置により該ジョブのプリント動作を開始させるが、該ジョブのプリント動作を実行している際中に、該ジョブとは別のジョブのデータを前記記憶手段に記憶可能とし、該ジョブのプリント動作に並行して前記別のジョブのデータの前記記憶手段への記憶処理を実行可能にすることを特徴とするジョブ処理方法。
【請求項１３】
複数ページのジョブのデータを記憶可能な記憶手段の該ジョブの画像データがプリントされるシートに該ジョブの総ページ数に相当する付加情報をプリント可能な画像形成装置を有する画像形成システムのジョブ処理方法であって、
前記ジョブのページ数をカウントするカウント手段からの情報に基づいて生成した付加情報を、前記シートにプリントする動作モードを実行可能にし、
前記動作モードを実行する場合に、処理対象となるジョブの画像データが全て前記記憶手段に記憶されたうえで前記画像形成装置により前記ジョブのプリント動作を開始させるが、前記記憶手段に前記ジョブの画像データを記憶する処理と並行して、前記付加情報を生成する為の前記カウント手段による前記カウント動作を実行させる事を特徴とするジョブ処理方法。
【請求項１４】
複数ページのジョブのデータを記憶可能な記憶手段の該ジョブの画像データがプリントされるシートに該ジョブの総ページ数に相当する付加情報をプリント可能な画像形成装置、を有する画像形成システムのジョブ処理方法であって、
操作部を介してオペレータにより入力される前記ジョブのページ数に関する情報に基づいて生成した付加情報を、前記シートにプリントする動作モードを実行可能にし、
前記動作モードを実行する場合に、処理対象となるジョブの画像データを前記記憶手段に記憶する処理と並行して、前記ジョブのプリント動作を実行させることを特徴とするジョブ処理方法。
【請求項１５】
前記画像形成装置が具備する原稿読取装置から出力されるジョブのデータ、及び／又は、前記画像形成装置とデータ通信可能なコンピュータにて生成されたジョブのデータを、前記記憶手段を介して前記画像形成装置によりプリント可能にすることを特徴とする請求項１０乃至１４のいずれか１項に記載のジョブ処理方法。
【請求項１６】
付加情報として前記ジョブの総ページ情報と該ジョブのページ番号の両方をプリントするモード、及び、付加情報として前記ジョブの総ページ情報はプリントするが該ジョブのページ番号はプリントさせないモード、のうちのオペレータにより指示されたモードで前記画像形成装置を動作させることを特徴とする請求項１０乃至１５のいずれか１項に記載のジョブ処理方法。
【請求項１７】
前記ジョブの先頭ページの画像データから順番に前記記憶手段に記憶させ、且つ、前記記憶手段の前記ジョブの先頭ページの画像データから順番に前記画像形成装置によりプリントさせることを特徴とする請求項１０乃至１６のいずれか１項に記載のジョブ処理方法。
【請求項１８】
前記第２モードにおいて、処理対象のジョブのデータの全ページを前記記憶手段に記憶させる前に該ジョブのプリント動作を開始させ、
操作部を介してオペレータにより入力された前記ジョブのページ数よりも前記ジョブのデータの実際のページ数の方が多い場合に、前記操作部に警告表示を実行させることを特徴とする請求項１０及び１１及び１５乃至１７のいずれか１項に記載のジョブ処理方法。
【請求項１９】
前記第２モードにおいて、処理対象のジョブのデータの全ページを前記記憶手段に記憶させる前に該ジョブのプリント動作を開始させ、
操作部を介してオペレータにより入力された前記ジョブのページ数よりも前記ジョブのデータの実際のページ数の方が多い場合に、前記ジョブのプリント動作をストップさせることを特徴とする請求項１０及び１１及び１５乃至１８のいずれか１項に記載のジョブ処理方法。
【請求項２０】
前記第２モードにおいて、処理対象のジョブのデータの全ページを前記記憶手段に記憶させる前に該ジョブのプリント動作を開始させ、
操作部を介してオペレータにより入力された前記ジョブのページ数よりも前記ジョブのデータの実際のページ数の方が多い場合に、前記ジョブのプリント動作をストップするか継続させるかを前記操作部を介してユーザにより選択可能とすることを特徴とする請求項１０及び１１及び１５乃至１９のいずれか１項に記載のジョブ処理方法。
【請求項２１】
前記第２モードにおいて、処理対象のジョブのデータの全ページを前記記憶手段に記憶させる前に該ジョブのプリント動作を開始させ、
操作部を介してオペレータにより入力された前記ジョブのページ数よりも前記ジョブのデータの実際のページ数の方が多い場合に、前記付加情報のプリントは禁止するが、前記ジョブの画像データ自体のプリントは実行可能にすることを特徴とする請求項１０及び１１及び１５乃至２０のいずれか１項に記載のジョブ処理方法。
【請求項２２】
請求項８乃至２１のいずれか１項に記載の方法を実行する画像形成システム。
【請求項２３】
請求項８乃至２１のいずれか１項に記載の方法を実行する画像形成装置。
【請求項２４】
請求項８乃至２１のいずれか１項に記載の方法をコンピュータに実行させるプログラムを格納したコンピュータ読取可能な記憶媒体。
【請求項２５】
請求項８乃至２１のいずれか１項に記載の方法をコンピュータに実行させるプログラム。